(57)【特許請求の範囲】
【請求項１】
貯油タンクに接続された給油本管にポンプ及び流量計を介装し、給油本管から給油枝管を複数分岐し、各給油枝管を開閉弁を介して分配タンクに接続し、分配タンクに液面計を設け、液面計から下限検知信号を受けてポンプを駆動して開閉弁を開き、流量計からの流量信号が一定量計数されると開閉弁を閉じてポンプを停止し、分配タンク別に給油量を記憶する給油制御手段と、全ての開閉弁を閉じた状態でポンプを駆動し、液面計からの満タン信号の有無より開閉弁の故障の有無を検査する故障検査手段を具備している給油管理装置を設けたことを特徴とする給油装置。
【請求項２】
前記給油管理装置は、前記液面計から満タン信号を受けて給油を停止する故障検知手段を具備している請求項１記載の給油装置。
【発明の詳細な説明】
【０００１】
【発明の属する技術分野】
本発明は、集合住宅などで燃料用の灯油を各戸へ分配する給油装置に関するものである。
【０００２】
【従来の技術】
暖房などに使用するエネルギとして、電気、ガス、及び灯油があり、灯油は電気及びガスに比べて取扱い難いが安価である。そこで、集合住宅などで燃料用の灯油を各戸へ分配する簡便で安価な給油装置が望まれている。従来の給油装置は、貯油タンクに接続された給油本管にポンプを介装し、給油本管から分岐した給油枝管を流量計を介して各戸の分配タンクに接続している。このように、比較的高価な流量計を各戸毎に設けているので、初期費用が嵩む。また、定期的に検定を受けて流量計の精度を確保する必要があり、この費用も無視できず、運転費用も嵩むことになる。
【０００３】
【発明が解決しようとする課題】
本発明の目的は前記従来例の不都合を解消し、集合住宅などで燃料用の灯油を各戸へ分配する給油装置で、初期費用が安く、しかも運転費用も安い給油装置を提供することにある。
【０００４】
【課題を解決するための手段】
前記目的を達成するため本発明は、第１に、貯油タンクに接続された給油本管にポンプ及び流量計を介装し、給油本管から給油枝管を複数分岐し、各給油枝管を開閉弁を介して分配タンクに接続し、分配タンクに液面計を設け、液面計から下限検知信号を受けてポンプを駆動して開閉弁を開き、流量計からの流量信号が一定量計数されると開閉弁を閉じてポンプを停止し、分配タンク別に給油量を記憶する給油制御手段と、全ての開閉弁を閉じた状態でポンプを駆動し、液面計からの満タン信号の有無より開閉弁の故障の有無を検査する故障検査手段を具備している給油管理装置を設けたこと、第２に前記給油管理装置は、前記液面計から満タン信号を受けて給油を停止する故障検知手段を具備していることを要旨とするものである。
【０００５】
請求項１記載の本発明によれば、比較的高価な流量計は給油本管に一個だけであるので、初期費用を安くできる。また、流量計の検定も一個だけでよいので運転費用も安くなる。
【０００６】
また、前記給油管理装置は、全ての開閉弁を閉じた状態でポンプを駆動し、液面計からの満タン信号の有無より開閉弁の故障の有無を検査する故障検査手段を具備しているので、定期的に検査して開閉弁の不具合を発見することができる。
【０００７】
請求項２記載の本発明によれば、前記給油管理装置は、前記液面計から満タン信号を受けて給油を停止する故障検知手段を具備しているので、開閉弁が故障しても分配タンクから灯油を溢れさせることがない。
【０００８】
【発明の実施の形態】
以下、本発明の実施の形態を、説明する。図１に示すように、集合住宅の敷地の一画には灯油を入れた貯油タンク１が設けられ、この貯油タンク１に接続された給油本管２は機器室３内を介して各階へ配設されている。そして、給油本管２から分岐した給油枝管４が各戸５ａ、５ｂ・・・に設けられた分配タンク６に接続されている。
【０００９】
図２に示すように、機器室３において、給油本管２にはポンプ７及び流量計８が介装され、ポンプ７は給油管理装置９からの駆動信号により駆動され、流量計８からの流量信号は給油管理装置９に入力している。一方、分配タンク６に接続された給油枝管４には開閉弁１０が介装され、分配タンク６には液面計１１が設けられている。分配タンク６の容量は約２リットルで、液面計１１には、分配タンク６内の灯油が殆どなくなったとき（約０．３リットル）に極限信号を発信する極限信号発信器１２と、分配タンク６内の灯油が少なくなったとき（約０．５リットル）に下限信号を発信する下限信号発信器１３と、分配タンク６内が灯油でほぼ満タンとなったとき（約１．８リットル）に満タン信号を発信する満タン信号発信器１４が設けられている。そして、各発信器１２、１３、１４からの信号は給油管理装置９へ出力され、開閉弁１０は給油管理装置９からの信号により開閉されるようになっている。なお、各戸５ａ、５ｂ・・・では分配タンク６内の灯油を暖房器具１５などで使用する。
【００１０】
給油管理装置９には、給油制御手段９ａと、故障検知手段９ｂと、故障検査手段９ｃと、給油データ記憶手段９ｄと、通信回線１６を介して遠方の管理所１７へデータを出力する通信手段９ｅが設けられている。
【００１１】
給油制御手段９ａは、分配タンク６の液面計１１から下限信号又は極限信号を受けて、この分配タンク６の開閉弁１０へ開弁信号を出力してポンプ７を駆動し、一定量を給油した後に開弁信号を消勢してポンプ７を停止し、この分配タンク６への給油量を給油データ記憶手段９ｄへ記憶する。
【００１２】
故障検知手段９ｂは、液面計１１から極限信号を受けて分配タンク６の液面計１１が故障したことを通信手段９ｅにより通信回線１６を介して管理所１７へ伝え、液面計１１から満タン信号を受けてポンプ７を強制的に停止し、満タン信号が入力した分配タンク６の開閉弁１０が故障したことを通信手段９ｅにより通信回線１６を介して管理所１７へ伝える。
【００１３】
故障検査手段９ｃは、検査スイッチ９ｆから検査信号を受けてポンプ７を一定時間駆動し、この間に流量計８から流量信号が入力しないとポンプ７を停止し、表示器９ｇに正常を表示して検査を終わる。そして、ポンプ７の駆動中に流量計８から流量信号が入力するとポンプ７の駆動を続行し、いずれかの分配タンク６の液面計１１から満タン信号を受けて、ポンプ７を停止し、表示器９ｇに満タン信号を受けた分配タンク６の異常を表示して報知する。
【００１４】
また、給油管理装置９は、管理所１７から給油データ送出信号を受けて、給油データ記憶手段９ｄに記憶されている各戸別の給油データを通信手段９ｅにより通信回線１６を介して管理所１７へ出力するようになっている。
【００１５】
次に、図３、４、５のフローに基づいて動作を説明する。図３は給油制御手段９ａのフローで、暖房器具１５が使用されて分配タンク６内の灯油の液位が下がり、液面計１１の下限信号発信器１３又は極限信号発信器１２から下限信号又は極限信号が給油管理装置９に入力すると（図３  ＳＴ１、ＳＴ２）、給油管理装置９の給油制御手段９ａは信号が入力した分配タンク６の開閉弁１０へ開弁信号を出力し、ポンプ７を駆動する（図３  ＳＴ３）。そして、開閉弁１０が開き、貯油タンク１内の灯油はポンプ７、流量計８、給油本管２、給油枝管４を介して分配タンク６内へ給油される。流量計８から給油制御装置９に入力する流量信号は給油制御手段９ａで計数され、例えば１リットル給油されると（図３  ＳＴ４）、開閉弁１０への開弁信号が消勢され、ポンプ７が停止し、給油データ記憶手段９ｄのこの分配タンク６の記憶部に給油量（１リットル）を記憶する（図３  ＳＴ５）。
【００１６】
図４は故障検知手段９ｂのフローで、例えば戸５ａの分配タンク６の液面計１１の下限信号発信器１３が故障し、液面低下により液面計１１の極限信号発信器１２から極限信号が給油管理装置９に入力した場合は（図４  ＳＴ１）、故障検知手段９ｂは戸５ａの分配タンク６の液面計１１が故障したことを通信手段９ｅにより通信回線１６を介して管理所１７へ伝える（図４  ＳＴ２）。また、例えば戸５ｂの分配タンク６の開閉弁１０が故障し、液面計１１の満タン信号発信器１４から満タン信号が給油管理装置９に入力した場合は（図４  ＳＴ３）、ポンプ７を強制的に停止し、出力されていた開弁信号を消勢し、故障検知手段９ｂは戸５ｂの分配タンク６の開閉弁１０が故障したことを通信手段９ｅにより通信回線１６を介して管理所１７へ伝え、以後の給油を不可とする（図４  ＳＴ４）。
【００１７】
このように液面計１１の故障は自動的に管理所１７へ伝えられる。そして、液面計１１の故障発生を受けた管理所１７は、故障の発生した給油装置の修理の日程をすみやかに立てることができる。また、開閉弁１０の故障の場合は全ての分配タンク６への灯油の給油が停止するので、分配タンク６から灯油を溢れさせることがない。そして、開閉弁１０の故障は自動的に管理所１７へ伝えられ、これを受けた管理所１７は、故障の発生した集合住宅へ直ちに行って修理を行うことになる。
【００１８】
図５は故障検査手段９ｃのフローで、給油装置の検査にきた管理者が検査スイッチ９ｆを押して、給油管理装置９へ検査信号を入力すると（図５  ＳＴ１）、ポンプ７が駆動される（図５  ＳＴ２）。そして、ポンプ７が一定時間、例えば３０秒間駆動されている間に流量計８から流量信号が入力しないと（図５  ＳＴ３、ＳＴ４）、ポンプ７を停止し、正常を表示器９ｇに表示して検査を終了する（図５  ＳＴ５）。
【００１９】
そして、例えば戸５ｂの分配タンク６の開閉弁１０が故障している場合は、ポンプ７が駆動中に流量計８からの流量信号が入力し（図５  ＳＴ４）、ポンプ７の駆動は続行され、開閉弁１０の故障した分配タンク６への給油が行われる。そして、分配タンク６の液面計１１の満タン信号発信器１４から満タン信号が入力したら（図５  ＳＴ６）、ポンプ７を停止し、戸５ｂの開閉弁１０の故障を表示器９ｇに表示する（図５  ＳＴ７）。この表示を見て戸５ｂの開閉弁１０を修理することになる。
【００２０】
このように全ての開閉弁の検査を機械室内でできるので、留守の家庭があっても検査に支障をきたすことがない。また、開閉弁の検査は一括して行われるので、検査に要する時間が短く検査効率がよいものである。
【００２１】
【発明の効果】
以上説明したように本発明の給油装置は、貯油タンクに接続された給油本管にポンプ及び流量計を介装し、給油本管から給油枝管を複数分岐し、各給油枝管を開閉弁を介して分配タンクに接続し、分配タンクに液面計を設け、液面計から下限検知信号を受けてポンプを駆動して開閉弁を開き、流量計からの流量信号が一定量となると開閉弁を閉じてポンプを停止し、分配タンク別に給油量を記憶する給油管理装置を設けている。このように比較的高価な流量計は給油本管に一個だけであるので、初期費用を安くできる。また、流量計の検定も一個だけでよいので運転費用も安くなる。
【図面の簡単な説明】
【図１】  本発明の給油装置を設置した集合住宅の図である。
【図２】  本発明の給油装置の全体図である。
【図３】  給油管理装置の給油制御手段のフロー図である。
【図４】  給油管理装置の故障検知手段のフロー図である。
【図５】  給油管理装置の故障検査手段のフロー図である。
【符号の説明】
１  貯油タンク
２  給油本管
３  機械室
４  給油枝管
５ａ、５ｂ  戸
６  分配タンク
７  ポンプ
８  流量計
９  給油管理装置
９ａ  給油制御手段
９ｂ  故障検知手段
９ｃ  故障検査手段
９ｄ  給油データ記憶手段
９ｅ  通信手段
９ｆ  検査スイッチ
９ｇ  表示器
１０  開閉弁
１１  液面計
１２  極限信号発信器
１３  下限信号発信器
１４  満タン信号発信器
１５  暖房器具
１６  通信回線
１７  管理所
【図１】
0003948074.tif 000002
【図２】
0003948074.tif 000003
【図３】
0003948074.tif 000004
【図４】
0003948074.tif 000005
【図５】
0003948074.tif 000006